(57)【要約】【課題】ＲＦ部とベースバンド部との間の伝送経路が少なく、且つ、効率よく通信を行うことのできる技術を提供する。【解決手段】  本発明に係る通信装置は、無線信号を受信する複数のアンテナと、前記受信された無線信号の周波数を、それぞれ、より低い周波数に変換する複数のＲＦ部と、前記周波数が変換された無線信号を、それぞれ、デジタル信号に変換する複数のＡ／Ｄ変換器と、前記デジタル信号に変換された各無線信号を分割し、当該分割された無線信号を時分割多重化する多重化部と、ベースバンド部と、を有し、前記ベースバンド部は、前記複数のＲＦ部に入力される無線信号の内容に応じたスケジューリング方法で前記分割された無線信号を多重化するように、前記多重化部に指示することを特徴とする。【選択図】図１
2010171851.tif 000002
【特許請求の範囲】
【請求項１】
無線信号を受信する複数のアンテナと、
前記受信された無線信号の周波数を、それぞれ、より低い周波数に変換する複数のＲＦ部と、
前記周波数が変換された無線信号を、それぞれ、デジタル信号に変換する複数のＡ／Ｄ変換器と、
前記デジタル信号に変換された各無線信号を分割し、当該分割された無線信号を時分割多重化する多重化部と、
ベースバンド部と、
を有し、
前記ベースバンド部は、前記複数のＲＦ部に入力される無線信号の内容に応じたスケジューリング方法で前記分割された無線信号を多重化するように、前記多重化部に指示することを特徴とする通信装置。
【請求項２】
前記多重化部は、前記デジタル信号に変換された各無線信号を分割すると共に、当該分割された無線信号毎にヘッダを付与し、前記分割された無線信号を非同期時分割多重化する
ことを特徴とする請求項１に記載の通信装置。
【請求項３】
前記ヘッダは、ＲＦ部の識別情報を含む
ことを特徴とする請求項２に記載の通信装置。
【請求項４】
前記ベースバンド部は、前記付与するヘッダの内容を前記多重化部に指示する
ことを特徴とする請求項２または３に記載の通信装置。
【請求項５】
前記ベースバンド部は、前記複数のＲＦ部に入力される無線信号の内容に応じたフォーマットのデジタル信号に変換するように、前記複数のＡ／Ｄ変換器に指示する
ことを特徴とする請求項１〜４のいずれか１項に記載の通信装置。
【請求項６】
前記ベースバンド部は、前記複数のアンテナを介して行われる各通信の状況を把握し、それぞれの通信の状況に応じた動作をするように、前記複数のＲＦ部に指示する
ことを特徴とする請求項１〜５のいずれか１項に記載の通信装置。
【請求項７】
前記分割された無線信号は、自身の優先度合いを表す優先度情報を含み、
前記ベースバンド部は、前記優先度情報に基づいて、前記スケジューリング方法を決定する
ことを特徴とする請求項１〜６のいずれか１項に記載の通信装置。
【請求項８】
前記ベースバンド部は、前記複数のアンテナを介して行われる各通信の状況を把握し、それぞれの通信の状況に基づいて、前記スケジューリング方法を決定する
ことを特徴とする請求項１〜７のいずれか１項に記載の通信装置。
【請求項９】
前記ベースバンド部は、送信データを分割し、当該分割された送信データを時分割多重化し、
前記多重化部は、前記時分割多重化された送信データを分割し、各ＲＦ部に振り分けることを特徴とする請求項１〜８のいずれか１項に記載の通信装置。
【発明の詳細な説明】
【技術分野】
【０００１】
本発明は、通信装置に関する。
【背景技術】
【０００２】
従来の通信装置のうち、受信した無線信号をデジタル信号に変換して処理する通信装置は、例えば、特許文献１〜３に開示されている。
【０００３】
特許文献１〜３に開示されているような構成において、多数の方式の通信を行う場合、必要な伝送容量に応じて、受信した無線信号の周波数をより低い周波数に変換するＲＦ部の数や、ＲＦ部と受信した信号を解析するベースバンド部との間の伝送経路を増やさなくてはならない。
【０００４】
そのような問題に鑑みた従来技術として、ＲＦ部からの出力信号を多重化することにより、ＲＦ部とベースバンド部との間の伝送経路を少なくする技術がある。そのような技術は、例えば、特許文献４に開示されている。
【０００５】
具体的には、特許文献４の通信装置は、複数のアンテナのそれぞれが無線信号を受信し、受信した各無線信号をデジタル信号に変換する。そして、受信した各無線信号を、波長の異なる光信号に変換し、波長多重により複数の光信号を１つの光信号に変換する。
【先行技術文献】
【特許文献】
【０００６】
【特許文献１】特表２００２−５１１６７３号公報
【特許文献２】特開２００４−１５３６６１号公報
【特許文献３】特開２００６−２９５２９８号公報
【特許文献４】特開２００４−２３７１５号公報
【発明の概要】
【発明が解決しようとする課題】
【０００７】
しかしながら、特許文献４に開示されている通信装置など、多重化を利用した従来の技術では、多重化が固定的であるため、多数の方式の通信を効率よく行うことができなかった。
【０００８】
具体的には、特許文献４に開示されている通信装置の場合、通信方式と変換後の光信号の波長が固定的に対応付けられている（例えば、ＤＴＶ放送の場合にはデジタル信号を波長λ１の光信号に変換し、データ通信の場合にはデジタル信号を波長λ２の光信号に変換することが予め定められている）。そのため、ＤＴＶ放送の受信を行わない場合、即ち、波長λ１の光信号への変換が行われない場合であっても、波長λ１を他の通信に対応させることができない（データ通信の場合に、デジタル信号を波長（λ１＋λ２）の光信号とすることができない）。
【０００９】
また、通信のビットレートが可変であったとしても、通信方式とスケジューリング方法とが固定的に対応付けられるため、他の通信を行わない場合であっても、必要な通信の速度を上げることができない。以上のことから、従来の通信装置は、無駄のある通信装置となってしまう。
【００１０】
本発明は上記実情に鑑みてなされたものであって、その目的とするところは、ＲＦ部と
ベースバンド部との間の伝送経路が少なく、且つ、効率よく通信を行うことのできる技術を提供することにある。
【課題を解決するための手段】
【００１１】
上記目的を達成するために、本発明は以下の構成を採用する。
【００１２】
本発明に係る通信装置は、無線信号を受信する複数のアンテナと、前記受信された無線信号の周波数を、それぞれ、より低い周波数に変換する複数のＲＦ部と、前記周波数が変換された無線信号を、それぞれ、デジタル信号に変換する複数のＡ／Ｄ変換器と、前記デジタル信号に変換された各無線信号を分割し、当該分割された無線信号を時分割多重化する多重化部と、ベースバンド部と、を有し、前記ベースバンド部は、前記複数のＲＦ部に入力される無線信号の内容に応じたスケジューリング方法で前記分割された無線信号を多重化するように、前記多重化部に指示することを特徴とする。
【００１３】
本発明に係る通信装置では、ベースバンド部が、複数のＲＦ部に入力される無線信号の内容に応じたスケジューリング方法で分割された無線信号を多重化するように、多重化部に指示する。例えば、通信装置が３つのＡ／Ｄ変換器ａ〜ｃを備えている場合に、多重化部がＡ／Ｄ変換器ａ→Ａ／Ｄ変換器ｃ→Ａ／Ｄ変換器ｂの順番でデジタル信号を数ビットずつ読み出すように設定される。また、Ａ／Ｄ変換器ａ→Ａ／Ｄ変換器ｂ→Ａ／Ｄ変換器ａ→Ａ／Ｄ変換器ｂのように、Ａ／Ｄ変換器ｃからはデジタル信号を読まない（破棄する）ように設定される。そのような順番で読み出されることをベースバンド部が把握していれば、多重化された信号を分解し、各無線信号の内容を把握することができる。それにより、従来のような無駄を無くすことができるため、ＲＦ部とベースバンド部との間の伝送経路が少なく、且つ、効率よく通信を行うことが可能となる。
【００１４】
前記多重化部は、前記デジタル信号に変換された各無線信号を分割すると共に、当該分割された無線信号毎にヘッダを付与し、前記分割された無線信号を非同期時分割多重化することが好ましい。それにより、ベースバンド部が多重化後の信号のフォーマットを予め把握する必要が無く（ヘッダを確認すればよいため）、より効率よく通信を行うことが可能となる。
【００１５】
前記ヘッダは、ＲＦ部の識別情報を含むことが好ましい。ＲＦ部の識別情報とは、例えば、元の無線信号が、それぞれ、どのＲＦ部を通過したのかを表す情報である。そのような情報をヘッダとして分割された無線信号に付与することにより、ベースバンド部が元の無線信号がどのＲＦ部を通過したのかを容易に判断することが可能となる。また、ベースバンド部が、付与するヘッダの内容を多重化部に指示してもよい。
【００１６】
前記ベースバンド部は、前記複数のＲＦ部に入力される無線信号の内容に応じたフォーマットのデジタル信号に変換するように、前記複数のＡ／Ｄ変換器に指示することが好ましい。ここで言うフォーマットとは、例えば、サンプリングレートやビット数（語長）のことである。このような構成にすることにより、それらの値を無線信号の内容に応じて適切な値とすることができる。
【００１７】
前記ベースバンド部は、前記複数のアンテナを介して行われる各通信の状況を把握し、それぞれの通信の状況に応じた動作をするように、前記複数のＲＦ部に指示することが好ましい。それにより、適切な通信を行えるようにＲＦ部を動作させることが可能となる。例えば、ユーザにとって不必要な通信は行わず、必要な通信をするためにダイバーシチ受信をするように各ＲＦ部を動作させることが可能となる。なお、各通信の状況としては、その通信が重要か否か、無線信号の受信強度は十分か否かなどである。通信が重要か否かは、例えば、無線信号に記述されていてもよいし、ユーザの操作（双方向通信の場合、ユ
ーザから外部へ情報を送信しているか否かなど）に基づいて判断すればよい。
【００１８】
前記分割された無線信号は、自身の優先度合いを表す優先度情報を含み、前記ベースバンド部は、前記優先度情報に基づいて、前記スケジューリング方法を決定することが好ましい。それにより、優先度合いに応じた適切な通信を行うことが可能となる。例えば、優先度の高いものほど先にベースバンド部に送るように設定することができる。なお、分割された無線信号がヘッダを含む場合には、優先度情報はヘッダに記載されていてもよい。
【００１９】
前記ベースバンド部は、前記複数のアンテナを介して行われる各通信の状況を把握し、それぞれの通信の状況に基づいて、前記スケジューリング方法を決定することが好ましい。それにより、通信状態に応じた適切な通信を行うことが可能となる。例えば、無線信号の受信強度が低い場合、安定した通信ができない可能性が高い。上記構成によれば、そのような無線信号を後回しでベースバンド部に送ったり、破棄したりすることができ、他の無線信号を優先してベースバンド部に送ることができる。
【００２０】
前記ベースバンド部は、送信データを分割し、当該分割された送信データを時分割多重化し、前記多重化部は、前記時分割多重化された送信データを分割し、各ＲＦ部に振り分けることが好ましい。そのような構成にすることにより、通信装置から外部への送信時においても、ＲＦ部とベースバンド部との間の伝送経路が少なく、且つ、効率よく通信を行うことが可能となる。
【発明の効果】
【００２１】
本発明によれば、ＲＦ部とベースバンド部との間の伝送経路が少なく、且つ、効率よく通信を行うことのできる通信装置を簡易な構成で実現するための技術を提供することができる。
【図面の簡単な説明】
【００２２】
【図１】図１は、実施例１に係る通信装置の機能構成を示すブロック図である。
【図２】図２は、分割された無線信号の多重化の一例を示す図である。
【図３】図３は、分割された無線信号の多重化の一例を示す図である。
【図４】図４は、分割された無線信号の多重化の一例を示す図である。
【図５】図５は、分割された無線信号の多重化の一例を示す図である。
【図６】図６は、分割された無線信号の多重化の一例を示す図である。
【発明を実施するための形態】
【００２３】
以下に図面を参照して、本発明の好適な実施の形態を例示的に詳しく説明する。
【００２４】
＜実施例１＞
（構成）
図１は、実施例１に係る通信装置の機能構成を示すブロック図である。図１に示すように、実施例１に係る通信装置は、アンテナ１０１ａ〜１０１ｃ、ＲＦ部１０２ａ〜１０２ｃ、Ａ／Ｄ変換器１０３ａ〜１０３ｃ、多重化部１０４、ベースバンド部１０５などを備える。以下、通信装置が外部から無線信号を受信する際の各機能の動作と、通信装置が外部へ無線信号を送信する際の各機能の動作とを別々に説明する。なお、図１は通信装置が車両に搭載されている場合の例を示したものであるが、本実施例に係る通信装置は車両に搭載されることを前提とするものではない。
【００２５】
（受信時の動作）
アンテナ１０１ａ〜１０１ｃは、それぞれ、無線信号を受信する。
【００２６】
ＲＦ部１０２ａ〜１０２ｃは、アンテナ１０１ａ〜１０１ｃで受信された無線信号の周波数を、それぞれ、より低い周波数（ＩＦやゼロＩＦ）に変換する。具体的には、ＲＦ部１０２ａはアンテナ１０１ａで受信された無線信号の周波数をより低い周波数に変換し、ＲＦ部１０２ｂはアンテナ１０１ｂで受信された無線信号の周波数をより低い周波数に変換し、ＲＦ部１０２ｃはアンテナ１０１ｃで受信された無線信号の周波数をより低い周波数に変換する。周波数を変換するには、例えば、スーパーヘテロダイン方式やダイレクトコンバージョン方式を用いればよい。
【００２７】
Ａ／Ｄ変換器１０３ａ〜１０３ｃは、ＲＦ部１０２ａ〜１０２ｃから出力される無線信号（周波数が変換された無線信号（ＩＦやゼロＩＦの信号））を、それぞれ、デジタル信号に変換する。具体的には、Ａ／Ｄ変換器１０３ａは、ＲＦ部１０２ａで周波数が変換された無線信号をデジタル信号に変換し、Ａ／Ｄ変換器１０３ｂは、ＲＦ部１０２ｂで周波数が変換された無線信号をデジタル信号に変換し、Ａ／Ｄ変換器１０３ｃは、ＲＦ部１０２ｃで周波数が変換された無線信号をデジタル信号に変換する。
【００２８】
多重化部１０４は、Ａ／Ｄ変換器１０３ａ〜１０３ｃから出力される各無線信号（デジタル信号に変換された各無線信号）を分割し、当該分割された無線信号を時分割多重化する。具体的には、本実施例では、多重化部１０４は、同期式時分割多重化方式で無線信号を多重化する。
【００２９】
ベースバンド部１０５は、通信（受信された無線信号の解析、受信する無線信号の選択など）をするために通信装置内の各機能を制御する。なお、多重化部１０４とベースバンド部１０５との間の信号（多重化されたデジタル信号）の伝送は、どのように行ってもよい。例えば、メタル線（例えば、銅線）を用いて伝送してもよいし、光ファイバや無線技術（ＺｉｇＢｅｅ（商標）、ブルートゥース（商標）、ＩＥＥＥ８０２．１１系の無線ＬＡＮなど）を用いて伝送してもよい。以下、ベースバンド部１０５の機能の一例について具体的に説明する。
【００３０】
本実施例では、ベースバンド部１０５は、アンテナ１０１ａ〜１０１ｃを介して行われる各通信の状況を把握し、それぞれの通信の状況に応じた動作をするように、ＲＦ部１０２ａ〜１０２ｃに指示する。それにより、適切な通信を行えるようにＲＦ部を動作させることが可能となる。通信の状況は、その通信が重要か否か、無線信号の受信強度は十分か否かなどである。通信が重要か否かは、例えば、無線信号に記述されていてもよいし、ユーザの操作（双方向通信の場合、ユーザから外部へ情報を送信しているか否かなど）に基づいて判断すればよい。本実施例では、重要な通信、または、無線信号の受信強度が十分である場合に通信状態が良いものとし、重要でない通信、または、無線信号の受信強度が不十分である場合に通信状態が悪いものとする。
【００３１】
例えば、ベースバンド部１０５は、重要な通信を行う場合には、ダイバーシチ受信を行うように各ＲＦ部に指示をしたり、無線信号の受信強度が不十分の場合には、その通信を中止したりする。
【００３２】
また、ベースバンド部１０５は、ＲＦ部１０２ａ〜１０２ｃに入力される無線信号の内容に応じたフォーマットのデジタル信号に変換するように、Ａ／Ｄ変換器１０３ａ〜１０３ｃに指示する。それにより、それらの値を無線信号の内容に応じて適切な値とすることができる。無線信号の内容とは、無線信号の種類（ＤＴＶ放送用の信号、データ通信用の信号など、またはＱＰＳＫ，ＱＡＭなどの変調方式）、自身（無線信号）の優先度合い、通信の状況などのことであり、フォーマットとは、サンプリングレート、ビット数（語長）などのことである。無線信号の種類や優先度合い（優先度情報）は、無線信号に記述されていてもよいし、ベースバンド部１０５が、それらの情報とＡ／Ｄ変換器やＲＦ部など
を対応付けて記憶していてもよい。本実施例では、上述したように、ベースバンド部１０５が各ＲＦ部の動作を指示するため、当該指示の時点から、無線信号の種類に関する情報は、ベースバンド部１０５で把握されているものとする。
【００３３】
例えば、ベースバンド部１０５は、無線信号がＱＰＳＫで変調された信号の場合には、（振幅情報が不要のため）語長を短くし、ＱＡＭで変調された信号の場合には、（振幅情報が必要であるため）語調を長くすればよい。また、無線信号がデータ通信用の信号の場合には伝送能力を高く（語長を長く；サンプリングレートを高く）し、無線信号がＤＴＶ放送用の信号の場合には伝送能力を低く（語長を短く；サンプリングレートを低く）してもよい。無線信号の優先度が高い場合には伝送能力を高くし、低い場合には伝送能力を低くしてもよい。通信状況が良い場合には伝送能力を高くし、通信状態が悪い場合には伝送能力を低くしてもよい。なお、どのような場合に伝送能力を高くするかは、ユーザやメーカが適宜設定可能なものとする。
【００３４】
また、ベースバンド部１０５は、ＲＦ部１０２ａ〜１０２ｃに入力される無線信号の内容に応じたスケジューリング方法で分割された無線信号を多重化するように、多重化部１０４に指示する。本実施例では、多重化部１０４が、Ａ／Ｄ変換器１０３ａ〜１０３ｃにそれぞれ対応する複数のキュー（不図示）を有しており、複数のキューのそれぞれから数ビットずつ読み出すことにより、無線信号が分割され、多重化される。当該読み出しの順序を制御することによりスケジューリング方法が制御される。なお、キューから１回で読み出すデータのビット数はどのような値（８，３２，５０，１００ビットなど）であってもよく、無線信号毎に異なっていてもよい。
【００３５】
以下、分割された無線信号の多重化の例について、図２〜５を用いて説明する。なお、図２〜５は、アンテナ１０１ａ〜１０１ｃに、無線信号ａ〜ｃがそれぞれ入力され、各無線信号が最終的に４つに分割される場合の例である。具体的には、無線信号ａは、最終的に分割信号（分割された無線信号）ａ−１〜４に分割され、無線信号ｂは、最終的に分割信号（分割された無線信号）ｂ−１〜４に分割され、無線信号ｃは、最終的に分割信号（分割された無線信号）ｃ−１〜４に分割されるものとする。
【００３６】
多重化は、多重化部１０４が、図２に示すように、無線信号ａ全体、無線信号ｂ全体、無線信号ｃ全体を順番に読み出すことによってなされてもよい。また、図３に示すように、対応する無線信号を切り換えながら（読み出し対象のキューを切り換えながら）分割信号を１つずつ読み出してもよい。図４に示すように、特定のキューからは、連続して複数の分割信号を読み出してもよい（キュー毎に連続して読み出す分割信号の数を異ならせてもよい。）。図５に示すように、特定のキューから分割信号を読み出さなくてもよい（無線信号の破棄）。
【００３７】
図２〜５に示すような多重化において、読み出し順序を異ならせることにより、スケジューリング方法が制御される。
【００３８】
具体的には、優先度情報に基づいてスケジューリング方法を決定すれば、優先度合いに応じた適切な通信を行うことが可能となる。例えば、分割された無線信号を、無線信号の優先度合いに応じたスケジューリング方法で多重化する場合には、優先度の高い無線信号ほど早くベースバンド部１０５に入力されるような順序で分割情報の読み出しを行えばよい。
【００３９】
また、通信の状況に基づいてスケジューリング方法を決定すれば、通信状態に応じた適切な通信を行うことが可能となる。例えば、分割された無線信号を、通信の状況に応じたスケジューリング方法で多重化する場合には、通信状態の良い無線信号ほど早くベースバ
ンド部１０５に入力されるような順序で分割情報の読み出しを行えばよい。
【００４０】
なお、無線信号の内容とスケジューリング方法の対応関係は、ユーザやメーカが適宜設定可能なものとする。また、スケジューリング方法は、ベースバンド部１０５などに無線信号の内容と対応付けて記憶されていてもよいし、通信状態（例えば、無線信号の受信強度）や優先度に基づいて、導出されるものであってもよい。
【００４１】
以上述べたように、本実施例に係る通信装置では、ベースバンド部が、複数のＲＦ部に入力される無線信号の内容に応じたスケジューリング方法で分割された無線信号を多重化するように、多重化部に指示する。そのため、そのような順番で読み出されることをベースバンド部が把握していれば、多重化された信号を分解し、各無線信号の内容を把握することができる。それにより、従来のような無駄を無くすことができるため、ＲＦ部とベースバンド部との間の伝送経路が少なく、且つ、効率よく通信を行うことが可能となる。
【００４２】
（送信時の動作）
次に、本実施例に係る通信装置の各機能が、無線信号送信時に行う動作について説明する。
【００４３】
ベースバンド部１０５は、外部へ送信するデータ（送信データ）を分割し、分割された送信データを時分割多重化する。
【００４４】
多重化部１０４は、ベースバンド部１０５で時分割多重化された送信データを分割する。そして、分割された送信データ（分割送信データ）を各ＲＦ部に振り分ける。具体的には、分割送信データは、各Ａ／Ｄ変換器へ伝送される。なお、本実施例では、多重化部１０４は、ベースバンド部１０５による多重化のフォーマットを予め把握しているものとする。それにより、分割送信データを正確に各ＲＦ部（各Ａ／Ｄ変換器）に伝送することができる。
【００４５】
Ａ／Ｄ変換器１０３ａ〜１０３ｃは、多重化部から伝送された分割送信データをアナログ信号に変換する。なお、アナログ信号に変換された後の信号は、伝送（入力）された複数の分割送信データからなるアナログ信号へ変換される。
【００４６】
ＲＦ部１０２ａ〜１０２ｃは、Ａ／Ｄ変換器１０３ａ〜１０３ｃから出力されたアナログ信号の周波数を、より高い周波数に変換する。具体的には、外部の機器が受信できる程度の周波数まで増幅する。
【００４７】
アンテナ１０１ａ〜１０１ｃは、ＲＦ部１０２ａ〜１０２ｃから出力されたアナログ信号（周波数が変換されたアナログ信号）を外部へ送信する。
【００４８】
以上述べたように、本実施例によれば、上記構成により、通信装置から外部への送信時においても、ＲＦ部とベースバンド部との間の伝送経路が少なく、且つ、効率よく通信を行うことが可能となる。
【００４９】
＜実施例２＞
以下、実施例２に係る通信装置について説明する。本実施例では、通信装置が外部から無線信号を受信する際の各機能の動作と、通信装置が外部へ無線信号を送信する際の各機能の動作とを別々に説明する。なお、本実施例に係る通信装置の構成は、図１と同様とする。また、実施例１と同様の構成などについてはその記載を省略する。
【００５０】
（受信時の動作）
本実施例に係る通信装置の受信時の動作において、アンテナ１０１ａ〜１０１ｃ、ＲＦ部１０２ａ〜１０２ｃ、Ａ／Ｄ変換器１０３ａ〜１０３ｃの動作は、実施例１と同様のためその説明は省略する。
【００５１】
多重化部１０４は、Ａ／Ｄ変換器１０３ａ〜１０３ｃから出力される各無線信号（デジタル信号に変換された各無線信号）を分割すると共に、当該分割された無線信号毎にヘッダを付与する。即ち、各無線信号をパケット化する。そして、分割された無線信号（ヘッダが付与された無線信号）を非同期時分割多重化する。即ち、分割された無線信号を非同期式時分割多重化方式で多重化する。ヘッダには、元の無線信号を表す情報が記載されているため、ヘッダを確認することで無線信号を適切に区分けすることができる。
【００５２】
また、ヘッダには、例えば、ＲＦ部の識別情報が記述される。このときのＲＦ部の識別情報は、元の無線信号が、それぞれ、どのＲＦ部を通過したものなのかを表す情報である。なお、ヘッダに記述される内容は、これに限らない。例えば、無線信号の種類、自身（無線信号）の優先度合い、通信の状況（通信の重要度）などの情報がヘッダに記述されていてもよい。ヘッダに記述する内容は、ベースバンド部１０５が指示してもよい。
【００５３】
ベースバンド部１０５は、ヘッダに記載されている情報に基づいて、通信装置内の各機能を制御する。
【００５４】
例えば、ヘッダに通信の状況を表す情報が記述されている場合には、ベースバンド部１０５は、当該情報に基づいてＲＦ部１０２ａ〜１０２ｃの動作の決定する。
【００５５】
ヘッダに無線信号の内容を表す情報が記述されている場合には、ベースバンド部１０５は、当該情報に基づいてＡ／Ｄ変換器１０３ａ〜１０３ｃでの変換後のフォーマットを決定する。
【００５６】
ヘッダに無線信号の内容を表す情報が記述されている場合には、ベースバンド部１０５は、当該情報に基づいて多重化部１０４での多重化のスケジューリング方法を決定する。
【００５７】
以上述べたように、本実施例に係る通信装置では、分割された無線信号毎にヘッダを付与することにより、ベースバンド部が多重化後の信号のフォーマット（分割信号の読み出し順序）を予め把握する必要が無く（元の無線信号をヘッダから把握することができるため）、より効率よく通信を行うことが可能となる。また、多重化をより柔軟に行うことが可能となる。
【００５８】
具体的には、分割された無線信号毎にヘッダを付与することにより、非同期時分割多重化された信号にも対応することができるため、図６のような多重化が可能になる。図６の多重化では、図４のように空きデータ（存在しないデータの読み込み）を無くすことができるため、効率よい通信が行える（実施例１に係る通信装置では、同期式時分割多重方式で多重化される、即ち、予め決められたパターンでキューから信号の読み出しが行われるため、信号の無いキューからも読み出しを行ってしまう）。
【００５９】
（送信時の動作）
本実施例に係る通信装置の送信時の動作において、アンテナ１０１ａ〜１０１ｃ、ＲＦ部１０２ａ〜１０２ｃ、Ａ／Ｄ変換器１０３ａ〜１０３ｃの動作は、実施例１と同様のためその説明は省略する。
【００６０】
ベースバンド部１０５は、外部へ送信するデータ（送信データ）を分割すると共に、当該分割された無線信号毎にヘッダを付与する。そして、分割された無線信号（ヘッダが付
与された無線信号）を非同期時分割多重化する。
【００６１】
ヘッダには、例えば、ＲＦ部の識別情報が記述される。このときのＲＦ部の識別情報は、分割された各無線信号の伝送先のＲＦ部（どのＲＦ部を通って外部へ出力するのか）を表す情報である。なお、ヘッダに記述される内容は、これに限らない。例えば、ＲＦ部の識別情報ではなく、アンテナやＡ／Ｄ変換器の識別情報であってもよい。
【００６２】
多重化部１０４は、ベースバンド部１０５で非同期時分割多重化された送信データを分割する。そして、ヘッダに記載されている情報に基づいて、分割された送信データ（分割送信データ）を各ＲＦ部に振り分ける。それにより、本実施例では、多重化部１０４は、ベースバンド部１０５による多重化のフォーマットを予め把握していなくても、分割送信データを正確に各ＲＦ部（各Ａ／Ｄ変換器）に伝送することができる。
【００６３】
以上述べたように、本実施例によれば、上記構成により、通信装置から外部への送信時においても、より効率よく通信を行うことが可能となる。また、多重化をより柔軟に行うことが可能となる。
【符号の説明】
【００６４】
１０１ａ〜１０１ｃ  アンテナ
１０２ａ〜１０２ｃ  ＲＦ部
１０３ａ〜１０３ｃ  Ａ／Ｄ変換器
１０４  多重化部
１０５  ベースバンド部
【図１】
2010171851.tif 000003
【図２】
2010171851.tif 000004
【図３】
2010171851.tif 000005
【図４】
2010171851.tif 000006
【図５】
2010171851.tif 000007
【図６】
2010171851.tif 000008